(57)【要約】【課題】レンズ鏡筒への着脱時にＡＦ駆動部に負荷がかかることを防止し、かつ、ＭＦ操作を確実に行えるレンズフードを提供する。【解決手段】レンズ鏡筒１００の対物側の端部に備えられ、フォーカシングレンズ群に連動して鏡胴部１１０に対して光軸Ｉ回りに回転するレンズフード装着部１３０に着脱可能に装着されるレンズフード１を、レンズフード装着部１３０に形成された凹部又は凸部１３１と係合し、レンズフード１に加わる光軸Ｉ回りの回転力をレンズフード装着部１３０に伝達する回転力伝達部２１を備え、この回転力伝達部２１は、レンズフード装着部１３０に対して略平行移動して装着される構成とする。【選択図】図１
2006276204.tif 000002
【特許請求の範囲】
【請求項１】
レンズ鏡筒の対物側の端部に備えられ、フォーカシングレンズ群に連動して鏡胴部に対して光軸回りに回転するレンズフード装着部に着脱可能に装着されるレンズフードにおいて、
前記レンズフード装着部に形成された凹部又は凸部と係合し、前記レンズフードに加わる前記光軸回りの回転力を前記レンズフード装着部に伝達する回転力伝達部を備え、
前記回転力伝達部は、前記レンズフード装着部に対して前記光軸方向に略平行移動して装着されること
を特徴とするレンズフード。
【請求項２】
請求項１に記載のレンズフードにおいて、
前記レンズフード装着部に形成された係止対象部に係止され、前記光軸方向における前記レンズフード装着部と前記レンズフードとの相対移動を制限する固定位置と、前記係止対象部との係止を解除され、前記相対移動を許容する退避位置との間を移動する可動係止部を備えること
を特徴とするレンズフード。
【請求項３】
レンズ鏡筒の対物側の端部に備えられ、フォーカシングレンズ群に連動して鏡胴部に対して光軸回りに回転するレンズフード装着部に着脱可能に装着されるレンズフードにおいて、
前記レンズフード装着部に形成された凹部又は凸部と係合し、前記レンズフードに加わる前記光軸回りの回転力を前記レンズフード装着部に伝達する回転力伝達部と、
前記レンズフード装着部に形成された係止対象部に係止され、前記光軸方向における前記レンズフード装着部と前記レンズフードとの相対移動を制限する固定位置と、前記係止対象部との係止を解除され、前記相対移動を許容する退避位置との間を移動する可動係止部と
を備えることを特徴とするレンズフード。
【請求項４】
請求項１から請求項３までのいずれか１項に記載のレンズフードにおいて、
前記回転力伝達部は、前記光軸方向に延在して形成され、前記レンズフード装着部の前記凹部又は凸部と係合する突条部、溝部の少なくとも一方を備えること
を特徴とするレンズフード。
【請求項５】
請求項１から請求項４までのいずれか１項に記載のレンズフードにおいて、
前記回転力伝達部は、前記レンズ鏡筒の手動焦点調節を行う操作部に形成された凹部又は凸部の少なくとも一部と係合すること
を特徴とするレンズフード。
【請求項６】
請求項２から請求項５までのいずれか1項に記載のレンズフードにおいて、
前記可動係止部は、前記回転力伝達部に対して前記光軸方向に離間して配置されること
を特徴とするレンズフード。
【発明の詳細な説明】
【技術分野】
【０００１】
本発明は、カメラの撮影用レンズ鏡筒の対物側の端部に備えられるレンズフードに関するものである。
【背景技術】
【０００２】
カメラの撮影用レンズ鏡筒は、その焦点合わせ（フォーカシング）時に、最も対物側に配置されたレンズ群がその光軸回りに回転するものがある。このような撮影用レンズ鏡筒は、最も対物側に設けられたレンズ群（以下、「対物レンズ群」と称する）を保持する保持筒の外周面に、マニュアルフォーカス（ＭＦ）時にユーザがこの保持筒を回転させる操作部であるＭＦ操作環（フォーカス環）が設けられる。通常、このようなＭＦ操作環は、操作性を向上するため、ローレットやセレーション等の凹凸部が形成されている。
【０００３】
一方、撮影用レンズ鏡筒は、撮影画角外から外光が入射して撮像画像の画質を損なうことを防止するため、その対物側の先端部にレンズフードが装着される。
上述したような対物レンズ群を有するレンズ鏡筒は、従来、対物レンズ群の保持筒の先端部に、バヨネット結合によってレンズフードを装着するものが知られている。
しかし、このようなレンズ鏡筒は、対物レンズ群の保持筒がオートフォーカス（ＡＦ）用のアクチュエータ等の駆動部と接続された状態でレンズフードの着脱を行うと、この保持筒に作用する回転力によって、モータ、ギア、スクリュー等のＡＦ駆動部に負荷がかかってしまう。
【０００４】
また、従来、このようなレンズ鏡筒に装着されるレンズフードは、その先端部が対物レンズ群の保持筒の外周面の平滑な部分にバネによって押圧されるとともに、着脱時には退避可能な爪部を備えたものが知られている（例えば、特許文献１）。
このようなレンズフードは、爪部を退避させた状態で、レンズ鏡筒をその光軸方向に沿って挿入することによって装着できるから、着脱時に対物レンズ群の保持筒に回転力が作用せず、ＡＦ駆動部を負荷から保護することができる。
【０００５】
しかし、対物レンズ群の保持筒にＭＦ操作環を有するレンズ鏡筒は、レンズフードを装着した場合、ＭＦ操作環を直接操作することが困難となるから、ＭＦ時にはレンズフードを回転させて焦点調節を行うことになる。
上述した従来技術のレンズフードは、対物レンズ群の保持筒に対する光軸回りの回転を拘束するものは爪部と保持筒との摩擦力のみであり、この摩擦力を超えた回転力が作用した場合には、爪部と保持筒との間でスリップが生じ、レンズフードが保持筒に対して回転して正確なＭＦ操作が行えないおそれがある。
【特許文献１】特開平５−３２３４２１号公報
【発明の開示】
【発明が解決しようとする課題】
【０００６】
本発明の課題は、レンズ鏡筒への着脱時にＡＦ駆動部に負荷がかかることを防止し、かつ、ＭＦ操作を確実に行えるレンズフードを提供することである。
【課題を解決するための手段】
【０００７】
本発明は、以下のような解決手段により、前記課題を解決する。なお、理解を容易にするために、本発明の実施例に対応する符号を付して説明するが、これに限定されるものではない。
【０００８】
請求項１の発明は、レンズ鏡筒（１００）の対物側の端部に備えられ、フォーカシングレンズ群に連動して鏡胴部（１１０）に対して光軸（Ｉ）回りに回転するレンズフード装着部（１３０）に着脱可能に装着されるレンズフード（１）において、前記レンズフード装着部（１３０）に形成された凹部又は凸部（１３１）と係合し、前記レンズフード（１）に加わる前記光軸（Ｉ）回りの回転力を前記レンズフード装着部（１３０）に伝達する回転力伝達部（２１）を備え、前記回転力伝達部（２１）は、前記レンズフード装着部（１３０）に対して前記光軸（Ｉ）方向に略平行移動して装着されることを特徴とするレンズフード（１）である。
請求項２の発明は、請求項１に記載のレンズフード（１）において、前記レンズフード装着部（１３０）に形成された係止対象部（１３２）に係止され、前記光軸（Ｉ）方向における前記レンズフード装着部（１３０）と前記レンズフード（１）との相対移動を制限する固定位置と、前記係止対象部との係止を解除され、前記相対移動を許容する退避位置との間を移動する可動係止部（４０）を備えることを特徴とするレンズフード（１）である。
【０００９】
請求項３の発明は、レンズ鏡筒（１００）の対物側の端部に備えられ、フォーカシングレンズ群と連動して鏡胴部（１１０）に対して光軸（Ｉ）回りに回転するレンズフード装着部（１３０）に着脱可能に装着されるレンズフード（１）において、前記レンズフード装着部（１３０）に形成された凹部又は凸部（１３１）と係合し、前記レンズフード（１）に加わる前記光軸（Ｉ）回りの回転力を前記レンズフード装着部（１３０）に伝達する回転力伝達部（２１）と、前記レンズフード装着部（１３０）に形成された係止対象部（１３２）に係止され、前記光軸（Ｉ）方向における前記レンズフード装着部（１３０）と前記レンズフード（１）との相対移動を制限する固定位置と、前記係止対象部（１３２）との係止を解除され、前記相対移動を許容する退避位置との間を移動する可動係止部（４０）とを備えることを特徴とするレンズフード（１）である。
【００１０】
請求項４の発明は、請求項１から請求項３までのいずれか1項に記載のレンズフード（１）において、前記回転力伝達部（２１）は、前記光軸（Ｉ）方向に延在して形成され、前記レンズフード装着部（１３０）の前記凹部又は凸部（１３２）と係合する突条部、溝部の少なくとも一方を備えることを特徴とするレンズフード（１）である。
請求項５の発明は、請求項１から請求項４までのいずれか1項に記載のレンズフード（１）において、前記回転力伝達部（２１）は、前記レンズ鏡筒（１００）の手動焦点調節を行う操作部（１３０）に形成された凹部又は凸部（１３１）の少なくとも一部と係合することを特徴とするレンズフード（１）である。
請求項６の発明は、請求項２から請求項５までのいずれか1項に記載のレンズフード（１）において、前記可動係止部（４０）は、前記回転力伝達部（２１）に対して前記光軸（Ｉ）方向に離間して配置されることを特徴とするレンズフード（１）である。
【発明の効果】
【００１１】
本発明によれば、以下の効果を奏することができる。
（１）レンズフードは、レンズフード装着部に形成された凹部又は凸部と係合する回転力伝達部を備えているから、スリップ等によってレンズフードのレンズフード装着部に対する光軸回りの角度がずれることがなく、ＭＦ操作時にユーザがレンズフードに加えた光軸回りの回転力を確実にフォーカシングレンズ群側へ伝達することができ、ＭＦ操作の確実性が確保される。
（２）回転力伝達部はレンズフード装着部に対して光軸方向に略平行移動して装着されるから、その着脱時にレンズフード装着部に対して光軸回りの回転力が加わることを防止し、ＡＦ駆動部を過大な負荷から保護することができる。
（３）レンズフードのレンズフード装着部に対する光軸方向の移動を制限し、またはこの制限を解除する可動係止部を備えているから、レンズフードがレンズフード装着部から光軸方向に脱落することを防止できる。
（４）回転力伝達部は、レンズフード装着部における手動焦点調節（ＭＦ）操作部に形成された凹部又は凸部と係合するようにしたから、レンズ鏡筒にこれらの凹部、凸部と別個に係合箇所を設ける必要がなく、レンズ鏡筒のデザインの自由度及び外観品質を向上するとともにＭＦ操作時の操作性を確保することができる。
【発明を実施するための最良の形態】
【００１２】
本発明は、レンズ鏡筒への着脱時にＡＦ駆動部に負荷がかかることを防止し、かつ、ＭＦ操作を確実に行えるレンズ鏡筒を提供するという目的を、レンズフードの内周面部に形成され光軸方向に延在する突条を、レンズ鏡筒のフォーカス環に形成され、光軸方向に延在するローレット溝に挿入して係合させることによって実現した。
【実施例】
【００１３】
以下、図面等を参照して、本発明の実施例をあげて、さらに詳しく説明する。
図１は、本発明を適用したレンズフードの実施例をレンズ鏡筒に装着し、光軸と直交する方向から見た側面視図であって、部分的に断面を示す図である。図２は、図１のII部拡大図である。図３は、図１のIII−III部矢視断面図である。図４は、図３のIV部拡大図である。図５は、図１のV−V部矢視断面図である。
【００１４】
レンズフード１が装着される対象となるレンズ鏡筒１００は、鏡胴部１１０と、可動筒１２０と、フォーカス環１３０とを備えている。
鏡胴部１１０は、その光軸Ｉ方向に配列された複数のレンズを収容する円筒状の部材であって、レンズ鏡筒１００が装着される図示しないボディに対して固定されている。
可動筒１２０は、鏡胴部１１０の内径側に収容され、光軸Ｉに対して略同心に形成され、その光軸Ｉ方向の移動によってレンズ鏡筒１００の被写体距離（撮影距離）を変化させるフォーカシングレンズ群を収容するものである。
【００１５】
上述した可動筒１２０は、レンズ鏡筒１００のオートフォーカス（ＡＦ）によるフォーカシング時には、図示しないＡＦ駆動部によって光軸Ｉ回りに回転するとともに、光軸Ｉ方向に移動する。
また、可動筒１２０は、ＡＦ駆動部との間に設けられる図示しないクラッチ機構を切断した状態においては、後述するフォーカス環１３０を操作して光軸Ｉ回りに回転させることによって、マニュアルフォーカス（ＭＦ）によるフォーカシングが行われる。
【００１６】
フォーカス環（レンズフード装着部）１３０は、可動筒１２０の光軸Ｉ方向対物側の端部に固定され、光軸Ｉと略同心に形成された円環状の部材であって、鏡胴部１１０の対物側の端部から突き出した位置に配置されている。
フォーカス環１３０は、ローレット溝１３１と、溝部１３２と、段部１３３とを備えている。
【００１７】
ローレット溝１３１は、フォーカス環１３０の外周面を凹ませて形成され、光軸Ｉ方向に延在する溝部であって、図３に示すように、フォーカス環１３０の周方向において全周にわたって略等間隔に複数配列されている。また、ローレット溝１３１は、図２に示すように、フォーカス環１３０の光軸Ｉ方向における像側の領域に形成されている。このローレット溝１３１は、図示しないユーザがフォーカス環１３０を操作する際の操作性及びデザイン性を向上するために設けられるものであるが、本実施例においては、後述するレンズフード１の突条部２１と係合し、レンズフード１からフォーカス環１３０に光軸Ｉ回りの回転力を伝達する機能を備えている。この点、後に詳しく説明する。
【００１８】
溝部１３２は、フォーカス環１３０の外周面を凹ませて形成され、その周方向に沿って延在するものであって、後述するレンズフード１の係止爪４０が係止されるものである。この溝部１３２は、図２に示すように、フォーカス環１３０の光軸Ｉ方向における対物側の領域に設けられ、上述したローレット溝１３１とは光軸Ｉ方向に離間して配置されている。
なお、フォーカス環１３０の外径は、ローレット溝１３１が設けられる領域よりも溝部１３２が設けられる領域のほうが小さく形成され、その中間部には、フォーカス環１３０の外径が段状に変化する段部１３３が設けられている。
【００１９】
レンズフード１は、筒部材１０と、後カバー２０と、着脱ボタン３０と、係合爪４０と、バネ５０とを備えている。
筒部材１０は、図２に示すように、円筒部１０ａと、フランジ部１０ｂと、遮光部１０ｃとを備えている。
円筒部１０ａは、略円筒状に形成され、その内径側にフォーカス環１３０が挿入されるものである。
フランジ部１０ｂは、円筒部１０ａの光軸Ｉ方向対物側の端部からその外径側につば状に突き出してリングプレート状に形成されている。
遮光部１０ｃは、光軸Ｉを中心軸とする円すい台の円すい面状にテーパをつけて形成され、画角外からの不要光を遮蔽する筒状の部材であって、径が小さい側の端部はフランジ部１０ｂの外周縁と接続され、径が大きい側の端部はフランジ部１０ｂよりも光軸Ｉ方向対物側に配置され、像光を取り込む開口が設けられている。
これらの円筒部１０ａ、フランジ部１０ｂ、遮光部１０ｃは、例えば樹脂系材料をインジェクション成形することによって一体に形成されている。
【００２０】
後カバー２０は、筒部材１０の光軸Ｉ方向像側に接続して設けられ、その内径側にフォーカス環１３０が挿入される円環状の部材であって、筒部材１０のフランジ部１０ｂに対して光軸Ｉ方向に間隔を隔てて対向し、この間隔内に係合爪４０及びバネ５０が収容される空間部を形成するものである。
【００２１】
また、後カバー２０は、図２、図４に示すように、そのフォーカス環１３０の外周面と対向する内周面から突き出して形成された突条（回転力伝達部）２１が設けられている。
突条２１は、レンズフード１をレンズ鏡筒１００に装着した状態において、フォーカス環１３０のローレット溝１３１内に挿入され、これと係合することによってレンズフード１のフォーカス環１３０に対する光軸Ｉ回りにおける角度がずれることを防止するものであって、光軸Ｉ方向に延在して形成されている。
突条２１は複数設けられ、これらはそれぞれ異なったローレット溝１３１に挿入されるが、突条２１は全てのローレット溝１３１に対して設ける必要はなく、レンズフード１をユーザが操作してＭＦ操作を行う際に、レンズフード１に加わる回転力をフォーカス環１３０に確実に伝達することを考慮してその本数が設定される。
例えば、図３、図４に示すように、本実施例の場合には、光軸Ｉ回りに例えば約９０°ずつ離間して設けられた４つの領域に、それぞれ３本の突条２１が設けられている。
【００２２】
着脱ボタン３０は、筒部材１０の遮光部１０ｃの外周面部に備えられ、レンズフード１をレンズ鏡筒１００に取り付ける場合及び取り外す場合に操作される操作部である。着脱ボタン３０は、光軸Ｉに対して略対称に例えば１対が設けられ、取り付け時及び取り外し時には、それぞれ光軸Ｉに近づく側に押圧操作されるものである。
【００２３】
爪部（可動係止部）４０は、レンズフード１をレンズ鏡筒１００に装着した状態において、その端部がフォーカス環１３０の溝部１３２内に挿入されることによってレンズフード１がレンズ鏡筒１００から光軸Ｉ方向に脱落することを防止するものである。
爪部４０は、図５に示すように、光軸Ｉに対して略直交する方向の平面部を有する小片であって、その端部が筒部材１０の円筒部１０ａに形成された開口１１を介して溝辺１３２内に挿入され、レンズフード１がフォーカス環１３０に対して光軸Ｉ方向に固定される固定状態と、この固定状態に対して光軸Ｉから遠ざかる方向に移動し、レンズフード１のフォーカス環１３０に対する光軸Ｉ方向の移動を許容する退避位置との間を移動可能に支持されている。
爪部４０は、その光軸Ｉ回り（周方向）において着脱ボタン３０を挟んだ両側の位置に設けられている。
【００２４】
バネ５０は、図５に示すように、同じ着脱ボタン３０を挟んで配置された１対の係合爪４０の間にわたして設けられ、その中間部においてこの着脱ボタン３０と当接している。このバネ５０は、例えばバネ鋼等の弾性を有する材料の線材によって形成され、その両端部を１対の係合爪４０にそれぞれ差し込まれて固定されるとともに、その中間部を屈曲させ筒部材１０の外径側に突き出して形成した部分を着脱ボタン３０の内面側に加圧接触させた状態で配置されている。
また、バネ５０は、着脱ボタン３０と各係合爪４０との間の範囲において、筒部材１０の円筒部１０ａの外周面から突き出して形成された突起１２の先端部に当接し、この突起１２を支点として回転可能に支持されている。
【００２５】
上述した着脱ボタン３０、係合爪４０、バネ５０の連動について以下説明する。
レンズフード１がレンズ鏡筒１００に装着された状態において、バネ５０は、その弾性力によって、係合爪４０を光軸Ｉに近づく方向（固定位置側）に付勢するとともに、着脱ボタン３０を光軸Ｉから遠ざかる方向に付勢した状態となっている。なお、このときのバネ５０の力量は、係合爪４０によってフォーカス環１３０に傷や変形を生じさせず、かつ、係合爪４０がフォーカス環１３０の溝部１３２から外れない程度に設定される。
そして、ユーザが着脱ボタン３０を光軸Ｉに近づく方向に押圧すると、バネ５０の着脱ボタン３０と各係合爪４０との間の部分は、突起１２の先端部を支点として回転し、係合爪４０は、光軸Ｉから遠ざかる方向に移動する。
さらに、ユーザが着脱ボタン３０を再び解放すると、着脱ボタン３０及び係合爪４０は、バネ５０の弾性力によってもとの位置に自動的に復帰する。
【００２６】
次に、本実施例のレンズフード１の使用方法について説明する。
＜レンズフード取り付け＞
着脱ボタン３０を光軸Ｉ側に押圧した状態で、レンズフード１をレンズ鏡筒１００に対して光軸Ｉ方向に沿って平行移動（直進）させ、筒部材１０の円筒部１０ａの内径側にフォーカス環１３０を挿入する。このとき、後カバー２０の複数の突条２１が、それぞれ対応するフォーカス環１３０のローレット溝１３１に挿入されるようにする。
そして、光軸Ｉ方向においてレンズフード１がレンズ鏡筒１００に対して所定の装着位置に到達した後に、着脱ボタン３０を解放する。これによって、係合爪４０の端部がフォーカス環１３０の溝部１３２に挿入され、レンズフード１はフォーカス環１３０に対して光軸Ｉ方向に固定される。
＜ＭＦ操作＞
図示しないボディ又はレンズ鏡筒１００の鏡胴部１１０に備えられる図示しないＡＦ／ＭＦ切換操作部を操作して、図示しないＡＦ駆動部と可動筒１２０との接続を解除する。
この状態で、レンズフード１の筒部材１０の遮光部１０ｃを把持し、鏡胴部１１０に対してレンズフード１を光軸Ｉ回りに回転することによって、可動筒１２０を光軸Ｉ回りに回転させ、これに連動して可動筒１２０内に収容された図示しないフォーカシングレンズ群は光軸Ｉ方向に移動され、フォーカシングが行われる。
＜レンズフード取り外し＞
着脱ボタン３０を光軸Ｉ側に押圧した状態でレンズフード１を鏡胴部１１０に対して光軸Ｉ方向対物側に引き抜くことによって、係合爪４０はフォーカス環１３０の溝部１３２から抜き出され、レンズフード１はレンズ鏡筒１００から取り外される。
【００２７】
以上のように、本実施例によれば、以下の効果を奏することができる。
（１）レンズフード１の後カバー２０の内周面に形成され光軸Ｉ方向に延在する突条２１が、フォーカス環１３０の外周面に形成されたローレット溝１３１と係合するようにしたから、ＭＦ操作時にレンズフード１に加わる光軸Ｉ回りの回転力がレンズ鏡筒１００側に確実に伝達され、ＭＦ操作の確実性を確保することができる。
（２）レンズフード１の突条２１は、レンズフード１をレンズ鏡筒１００に対して光軸Ｉ方向に平行移動させることによってフォーカス環１３０のローレット溝１３１に挿入されるから、レンズフード１の着脱時にフォーカス環１３０に対して光軸Ｉ回りにおける過大なトルクが入力されることがなく、ＡＦ駆動部等のレンズ鏡筒１００内の機構を保護することができる。
（３）フォーカス環１３０の溝部１３２に一部が挿入される固定位置と、この溝部１３２から抜き出された解除位置との間を移動する係合爪４０を備えたから、レンズフード１がレンズ鏡筒１００から光軸方向に脱落することを防止できる。また、この係合爪４０は、着脱ボタン３０を押圧することによって固定位置から解除位置に移動するとともに、着脱ボタン３０を解放することによって自動的に固定位置に復帰するので、着脱操作が容易である。
（４）レンズフード１の突条２１は、フォーカス環１３０にデザイン、操作性を向上させるために設けられるローレット溝１３１に係合されるから、レンズ鏡筒１００側に突条２１と係合させるために他の凹部又は凸部を設ける必要がなく、レンズ鏡筒１００のデザインの自由度及び外観品質を向上するとともにＭＦ操作時の操作性を確保することができる。
【００２８】
（変形例）
本発明は、以上説明した各実施例に限定されることなく、種々の変形や変更が可能であって、それらも本発明の均等の範囲内である。
（１）レンズフード側の回転力伝達部、可動係止部、レンズ鏡筒側の凹部又は凸部、係止対象部の形状や構成は、上述した実施例に限定されず、適宜変更することができる。
（２）実施例は、回転力伝達部と可動係止部とを独立して設けたが、例えば可動係止部にレンズフード装着部に対する光軸回りの角度ずれを防止する機能を与え、可動係止部が回転力伝達部を兼ねる構成としてもよい。
【図面の簡単な説明】
【００２９】
【図１】本発明を適用したレンズフードの実施例をレンズ鏡筒に装着し、光軸と直交する方向から見た側面視図である。
【図２】図１のII部拡大図である。
【図３】図１のIII−III部矢視断面図である。
【図４】図３のIV部拡大図である。
【図５】図１のV−V部矢視断面図である。
【符号の説明】
【００３０】
１    レンズフード
１０    筒部材
１２    突起
２０    後カバー
２１    突条
３０    着脱ボタン
４０    係合爪
５０    バネ
１００    レンズ鏡筒
１３０    フォーカス環
１３１    ローレット溝
１３２    溝部
【図１】
2006276204.tif 000003
【図２】
2006276204.tif 000004
【図３】
2006276204.tif 000005
【図４】
2006276204.tif 000006
【図５】
2006276204.tif 000007